(57)【要約】【課題】  アプリケーションプログラムが記録されているカード型記録媒体が未装着であっても、これを記録するメモリを効率的に利用することにより、該アプリケーションプログラムを実行できる表示装置を提供する。【解決手段】  アプリケーションプログラムをカード型記録媒体１６から読み出して該アプリケーションプログラムを示すアイコンを表示手段５に表示し、該アプリケーションプログラムを実行した場合にメモリ１３に該アプリケーションプログラムを記録するので、一度、カード型記録媒体１６をスロット部７から外しても、再度実行する可能性の高いプログラムについては即時実行可能となる。【選択図】図１
2005196465.tif 000002
【特許請求の範囲】
【請求項１】
画像を表示する表示手段と、
アプリケーションプログラムを記録したカード型記録媒体を装着させる装着手段と、
前記装着手段に装着した前記カード型記録媒体からプリケーションプログラムを記録する記録手段と、
アプリケーションプログラムを前記カード型記録媒体から読み出して該アプリケーションプログラムを示す簡略表示形態を前記表示手段に表示させ、該アプリケーションプログラムを選択した場合に前記記憶手段に該アプリケーションプログラムを記録させる制御手段とを備えたことを特徴とする表示装置。
【請求項２】
前記制御手段は、少なくとも最後に選択したアプリケーションプログラムを前記記録手段に記録することを特徴とする請求項１に記載の表示装置。
【請求項３】
前記制御手段は、最後に選択したアプリケーションプログラムの容量が前記記録手段の記録容量を超える場合は、該アプリケーションプログラムを示す簡略表示形態のデータのみを前記記録手段に記録させるとともに前記表示手段に表示させ、該簡略表示形態が選択されたときには、該簡略表示形態に該当するアプリケーションプログラムを記録したカード型記録媒体を装着手段に装着する旨を前記表示手段に表示させることを特徴とする請求項２に記載の表示装置。
【発明の詳細な説明】
【技術分野】
【０００１】
本発明は、カード型記録媒体からアプリケーションプログラム等を読み出して実行する表示装置に関する。
【背景技術】
【０００２】
近年、画像表示可能な携帯型装置（たとえば、ビデオカメラ、デジタルカメラ、携帯電話等）にカード型記録媒体を装着して、アプリケーションプログラムを実行するものが考えられている。
たとえば、特許文献１に開示されているように、ＶＴＲなどの映像／音声データに特殊処理を行うためのアプリケーションデータをメモリカードに記憶させて、このカードを挿入することでＶＴＲからの映像編集処理を行うことが可能となる。
【特許文献１】特開２００１−２０３９７２号公報
【発明の開示】
【発明が解決しようとする課題】
【０００３】
ところが、上記映像編集装置においては、一度メモリカードを抜いてしまったら、特殊編集処理を行うのは不可能であり、特殊操作とはいえ使用するアプリケーションといっても、ユーザ１人あるいは１グループ単位で使用するアプリケーションというのはおおよそ決まっているもので、いちいち編集処理のたびにカード挿入するのはカードの場所を探したりする手間がかかることになる。また、あるアプリケーションが一枚のカードにしか存在しない場合、編集機器等が複数あって同時に作業を行いたい場合でも、カードが１枚しかないので同時作業ができないといった問題があった。
【０００４】
本発明は、斯かる実情に鑑み、アプリケーションプログラムが記録されているカード型記録媒体が未装着であっても、これを記録するメモリを効率的に利用することにより、該アプリケーションプログラムを実行できる表示装置を提供することを目的とするものである。
【課題を解決するための手段】
【０００５】
本発明は、画像を表示する表示手段と、アプリケーションプログラムを記録したカード型記録媒体を装着させる装着手段と、前記装着手段に装着した前記カード型記録媒体からプリケーションプログラムを記録する記録手段と、アプリケーションプログラムを前記カード型記録媒体から読み出して該アプリケーションプログラムを示す簡略表示形態を前記表示手段に表示させ、該アプリケーションプログラムを選択した場合に前記記憶手段に該アプリケーションプログラムを記録させる制御手段とを備えたことを特徴とする。
なお、簡略表示形態とは、ユーザが画面上で選択しやすいように表示するアイコンや選択肢項目（文字）等を示す。
【０００６】
ここで、前記制御手段は、少なくとも最後に選択したアプリケーションプログラムを前記記録手段に記録することを特徴とする。
【０００７】
さらに、前記制御手段は、最後に選択したアプリケーションプログラムの容量が前記記録手段の記録容量を超える場合は、該アプリケーションプログラムを示す簡略表示形態のデータのみを前記記録手段に記録させるとともに前記表示手段に表示させ、該簡略表示形態が選択されたときには、該簡略表示形態に該当するアプリケーションプログラムを記録したカード型記録媒体を装着手段に装着する旨を前記表示手段に表示させることを特徴とする。
【発明の効果】
【０００８】
本発明によれば、アプリケーションプログラムを前記カード型記録媒体から読み出して該アプリケーションプログラムを示す簡略表示形態を前記表示手段に表示し、該アプリケーションプログラムを実行した場合に前記記憶手段に該アプリケーションプログラムを記録するので、一度、カード型記録媒体を装着部から外しても、再度実行する可能性の高いプログラムについては即時実行可能となる。また、新たなコンテンツを含むカードを挿入しても前回挿入されたカードのアプリを実行でき、カードスロット数を必要以上に用意する必要を極力減らすことが可能となる。
【０００９】
また、少なくとも最後に実行したアプリケーションプログラムを前記記録手段に記録することにより、極力メモリ容量をかけずにユーザがすぐに使用したいであろう最後に実行していたアプリケーションに限ってメモリカード無しで即時実行することが可能となる。
【００１０】
また、最後に実行したアプリケーションプログラムの容量が記録手段の記録容量を超える場合は、該アプリケーションプログラムを示す簡略表示形態のデータのみを前記記録手段に記録させるとともに表示手段に表示し、該簡略表示形態が選択されたときには、該簡略表示形態に該当するアプリケーションプログラムを記録したカード型記録媒体を装着手段に装着する旨を前記表示手段に表示することにより、実行されたアプリケーションが大容量等の理由でカード部のメモリに記録できない時でも、ユーザが再度そのアプリケーションを起動させたい時に適当な指示することができる。
【発明を実施するための最良の形態】
【００１１】
以下、本発明の実施の形態を添付図面を参照して説明する。
図１は、本発明の表示装置における一実施形態であるテレビジョン受像機である。本実施形態のテレビジョン受像機は、テレビジョン放送信号を受信するアンテナ１と、アンテナ１によって受信されたテレビジョン放送信号を映像検波し、映像信号および音声信号を出力する受信部２と、ＣＲＴや液晶ディスプレイ等の表示部５と、スピーカ６と、入力された映像信号をＲ，Ｇ，Ｂ信号に変換して表示部５に出力する映像出力部３と、入力された音声信号をスピーカ６に出力する音声出力部４と、メモリカード等のカード型記憶媒体１６を装着するカード装着部１７と、各部を制御する中央制御部９と、中央制御部９に対する各種の指示を入力する操作部１０と、表示部５に表示させたり、カード型記録媒体１６に記録させる映像信号としてカード型記録媒体１６の映像や受信部２の映像を選択させるための選択部１１と、中央制御部９に対する各種の指示を入力する遠隔操作部１５と、前記遠隔操作部１５からの赤外線信号を受光して中央制御部９に出力する受光部１４とからなる構成である。なお、カード型記録媒体１６には、映像／音声信号からなるデータやアプリケーションプログラムが記録されている。特にアプリケーションの仕様としては、オブジェクト指向性プログラミングが可能なプラットフォーム（すなわち表示装置本体に使用するマイコン等の種別）に依存しないソフトウェア（例えば、ＪＡＶＡ（登録商標）等）を採用し、カードにそのファイルを保存しておけば、カード制御部８や中央制御部９などからの制御操作によって容易に実行することが可能となる。
【００１２】
また、カード装着部１７のブロック図については、図１のように、受信部２やカード型記録媒体１６に記録された画像データを映像として形成させるための画像形成部１２、画像形成部１２に表示する画像データや外部メモリに記録された各種プログラムを記録して記憶させるための書き換え可能なメモリ部１３、これらのブロックをテレビ側の中央制御部９と連動して制御を行うカード制御部８、挿入するべきカード型記録媒体１６を受けるスロット部７から構成される。そして、メモリ１３としては書き換え可能である代表例として例えば電気的制御で書き換え可能なＥＥＰＲＯＭ等が主に用いられる。
【００１３】
遠隔操作部１５は、リモコンであり、自身に配置された赤外線発光素子等からの発振手段によって信号を発し、それを受光部１４で受信し、その受信した信号によってマイコンなどの中央制御部９が処理を実行する。図２に示すように、遠隔操作部１５は、電源キー２１、動画／静止画／電子ブックのモード切り換えキー２２、決定キー２３、上下左右の方向指示キー２４、入力切換キー２５、テンキー２６等を備える。特に、決定キー２３はカーソル移動によって選択された選択肢項目（またはアイコン）の選択を確定するためのキーであり、方向指示キー２４は実行した各アプリケーションで与えられた選択肢項目（またはアイコン）を選択する際にカーソルを移動させるためのキーであり、入力切替キー２５は、表示するべき映像の入力モードをテレビ映像やカードに記録された映像等に切り換えるためのキーである。これらの操作キーによってカード型記録媒体１６に記録された各種アプリケーションの実行を遠隔操作によって実行することが可能となる。そして、これらのキー操作をテレビ側の中央制御部９が受けて、カード制御部８に各種キー操作に対応するコマンドを送信させることで、カード側のアプリケーションが制御される。このような遠隔操作部１５のキー操作を各種アプリケーションの制御に対応させることによって、画面上映し出された各種アプリケーションの実行を本体との接続ケーブルを必要とすることなく実行させることが可能となる。
【００１４】
選択部１１は、一般的にはセレクタとも呼び、集積回路ＩＣとして実現化されているものもある。この選択部１１によって、以下の機能を制御によって行うことが可能となる。
（１）受信部２の映像データを表示部５に表示させたり、カード型記録媒体１６に記録させる。
（２）カード型記録媒体１６に記録された映像データを表示部５に表示させる。
【００１５】
つまり、少なくともカード型記録媒体１６の映像については、選択部１１に対して一方的に出力するラインだけでなく、受信部２の映像を書き込むための入力ラインも機能させるためのラインが存在する。また、この選択部１１の機能は受信部２からの映像データに加えて、カード型記録媒体１６に記録された映像データも同時に選択することも可能であり、本発明の静止画表示時においては受信部２とカード型記録媒体１６とから受けた映像データを同時に選択して画面上に二画面表示させている。
【００１６】
スロット部７は、図３を参照すると、挿入されたカード型記録媒体１６が収納されるカード用コネクタ４１と、カード用コネクタ４１に挿着されたカード型記録媒体１６の取り出しを行うためのプッシュロッド４２と、プッシュロッド４２が排出準備状態に移行したことを検出する排出準備状態検出センサ４３と、カード用コネクタ４１および排出準備状態検出センサ４３からの出力に応じて状態信号を出力する信号検出部４４とからなる。
【００１７】
プッシュロッド４２は、２段階の操作によってカード型記録媒体１６を排出する、例えば折れ曲がりタイプのプッシュロッドであり、カード用コネクタ４１にカード型記録媒体１６が挿着された状態で、図３（ａ）に示すように折れ曲げることにより、突出状態のプッシュロッド４２の誤操作により接続中のカード型記録媒体１６が意に反して排出されてしまうことを防止している。尚、このような排出機構を実現するプッシュロッド４２の具体的実施形態としては、例えば市販のロック状態を有するプッシュスイッチ及びこれに類するスイッチ部材などが挙げられる。
【００１８】
カード型記録媒体１６をカード用コネクタ４１から排出する際には、図３（ａ）に矢印で示す方向にプッシュロッド４２の折れ曲がり部分を回動させ（第１の操作）、図３（ｂ）に示すように、プッシュロッド４２を直線状にした状態で、プッシュロッド４２を図３（ｂ）に矢印で示す方向に押し込むことにより（第２の操作）、図示しないイジェクトレバーを作用させてカード型記録媒体１６を排出させる。
【００１９】
排出準備状態検出センサ４３は、例えば反射型光センサであり、図３に示すように、プッシュロッド４２の折れ曲がり部分を検出する位置に配置され、プッシュロッド４２の折れ曲がり部分の有無を検出することによって、プッシュロッド４２の折れ曲がり部分を回動させる第１の操作が行われて排出準備状態に移行したことを検出し、排出準備状態検出信号を信号検出部４４に出力する。
【００２０】
信号検出部４４は、排出準備状態検出センサ４３からの排出準備状態検出信号が入力されると、カード用コネクタ４１とカード型記録媒体１６との接続状態を検出するカード検出処理を行い、カード用コネクタ４１にカード型記録媒体１６が挿着されている場合には、排出準備状態検出信号をカード制御部８に出力する。さらに、信号検出部４４は、カード用コネクタ４１とカード型記録媒体１６との接続状態を検出するカード検出処理を行うことで、カード用コネクタ４１からのカード型記録媒体１６の排出を検出し、カード用コネクタ４１からのカード型記録媒体１６の排出が検出されると、排出確認信号をカード制御部８に出力する。
【００２１】
カード制御部８は、カード型記録媒体１６に映像信号と音声信号とからなる映像データが記録されている場合はこれを読み出し、映像信号を映像出力部３に、音声信号を音声出力部４にそれぞれ出力する再生処理と、受信部２から出力される映像信号および音声信号をカード型記録媒体１６に映像データとして書き込む録画処理とを行う。
【００２２】
また、カード制御部８は、信号検出部４４からの排出準備状態検出信号が入力されると、カード型記録媒体１６との間の通信状態を確認する通信状態確認処理を行い、カード型記録媒体１６と通信中である場合には、音声出力部４を介してスピーカ６から警報を出力すると共に、映像出力部３を介して表示部５に警告表示を行ってユーザに警告を報知することで、ユーザにカード型記録媒体１６の取り出しを中止することを促す。
【００２３】
また、カード制御部８は、カード型記録媒体１６にアプリケーションプログラムが記録されている場合はこれを読み出し、中央処理装置９にプログラムを送り実行可能にするとともにデータ作成部１２においてアイコンの映像信号を作成し映像出力部３に送る。また、アプリケーションプログラムが実行された場合は、メモリ１３に該アプリケーションプログラムを記録する。
【００２４】
なお、カード型記録媒体１６の現状の一般的仕様としては、ＰＣ−ＡＴＡカードタイプへの搭載が考えられる。ＰＣ−ＡＴＡカードを用いた場合には、プッシュロッド４２によるカード取り出し作業においてプロテクト機能が別段設けられてないことが多いからである。しかしながら本発明に主旨としてはＰＣ−ＡＴＡカードタイプ以外であってもこれに限定するものではない。
【００２５】
次に、カード型記録媒体１６のアプリケーションプログラムを実行する処理について説明する。図４〜図７は、カード型記録媒体１６のアプリケーションプログラムを実行する処理を示すフローチャートである。ここで、前提としてユーザがアプリケーションプログラムＡKを選択するものとする。
【００２６】
まず、カード制御部１１は信号検出部４４の信号からカード型記録媒体１６がスロット部７に装着されたかを確認する（ステップＳ１）。装着されていれば、メモリ１３からの読み出し処理を行う（ステップＳ２）。この処理は、図７に示すように、メモリ１３にデータが書き込まれているか確認する（ステップＳ２１）。メモリ１３にデータが書き込まれていれば、メモリ１３からデータを読み出し（ステップＳ２２）、アイコンを表示部５の画面に表示する（ステップＳ２３）。メモリ１３にデータが書き込まれていなければ、読み出し処理を終了する。そして、カード型記録媒体１６からアプリケーションプログラムを読み出して、アプリケーションプログラムのアイコンをデータ作成部１２、選択部１１、映像出力部３を介して表示部５に表示させる（ステップＳ３）。なお、アイコンを表示させるとしたが、ＯＳＤにより選択肢項目を文字で表示するサブメニュー化でもよい。
【００２７】
ここで、ユーザが遠隔操作部１５を用いて、アプリケーションプログラムＡKを選択したとする（ステップＳ４）。カード型制御部８は、アプリケーションプログラムＡKがメモリ１３にすべて書き込み可能かを確認し（ステップＳ５）、書き込み可能であれば、アプリケーションプログラムＡKのデータをすべてメモリ１３に書き込み、カード制御部８は中央制御部９にアプリケーションプログラムＡKのデータを送り、実行させる（ステップＳ６）。アプリケーションプログラムＡKがメモリ１３にすべて書き込むことが不可能の場合、カード制御部８は、メモリ１３に何も記録せず、中央制御部９にアプリケーションプログラムＡKのデータを送り、実行させる（ステップＳ７）。
【００２８】
カード制御部８は、カード型記録媒体１６がイジェクトされるかを、信号検出手段４４の信号により検出している（ステップＳ８）。カード型記録媒体１６がイジェクトされた場合、アプリケーションプログラムＡKの全データをメモリ１３にすべて書き込めるかを確認する（ステップＳ９）。すべて書き込める場合は、最後に使用したアプリケーションプログラムＡKのデータをメモリ１３に残し、アイコンを画面表示する（ステップＳ１０）。書き込めない場合は、アプリケーションプログラムＡKのアイコンデータのみをメモリ１３に書き込み、アイコンデータを画面表示する（ステップＳ１１）。
【００２９】
カード型記録媒体１６がスロット部７に挿入されていない場合（ステップＳ１）、メモリ１３から読み出し処理を行う（ステップＳ１２）。この読み出し処理は、図７の処理内容であるから説明を省略する。
【００３０】
ユーザが操作部１０あるいは遠隔操作部１８からアプリケーションプログラムＡKを選択したとする（ステップＳ１３）。カード制御部１３はアプリケーションプログラムＡKの全データがメモリ１３に書き込まれているかを確認し（ステップＳ１４）、書き込まれていれば、選択されたアプリケーションプログラムＡKを中央制御部９に実行させる（ステップＳ１５）。書き込まれていなければ、警告表示として「該当プログラムが記録されたカードを挿入してください」を表示部５に表示させる（ステップＳ１６）。
【００３１】
こうして、アプリケーションプログラムをカード型記録媒体１６から読み出して該アプリケーションプログラムを示すアイコンを表示手段５に表示し、該アプリケーションプログラムを実行した場合にメモリ１３に該アプリケーションプログラムを記録するので、一度、カード型記録媒体１６をスロット部７から外しても、再度実行する可能性の高いプログラムについては即時実行可能となる。また、新たなコンテンツを含むカードを挿入しても前回挿入されたカードのアプリを実行でき、カードスロット数を必要以上に用意する必要を極力減らすことが可能となる。
【００３２】
また、少なくとも最後に実行したアプリケーションプログラムをメモリ１３に記録することにより、極力メモリ容量をかけずにユーザがすぐに使用したいであろう最後に実行していたアプリケーションに限ってメモリカード無しで即時実行することが可能となる。
【００３３】
また、最後に実行したアプリケーションプログラムの容量がメモリ１３の記録容量を超える場合は、該アプリケーションプログラムを示すアイコンのデータのみを記録手段１３に記録させるとともに表示部５に表示し、該アイコンが選択されたときには、該アイコンに該当するアプリケーションプログラムを記録したカード型記録媒体１６をスロット部７に装着する旨を表示部５に表示することにより、実行されたアプリケーションが大容量等の理由でメモリ１３に記録できない時でも、ユーザが再度そのアプリケーションを起動させたい時に適当な指示することができる。
【００３４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３５】
【図１】本発明の表示装置における一実施形態であるテレビジョン受像機である。
【図２】遠隔操作部の外観図である。
【図３】カード装着部の構造を示す説明図である。
【図４】カード型記録媒体のアプリケーションプログラムを実行する処理を示すフローチャートである。
【図５】図４に続くカード型記録媒体のアプリケーションプログラムを実行する処理を示すフローチャートである。
【図６】図５に続くカード型記録媒体のアプリケーションプログラムを実行する処理を示すフローチャートである。
【図７】メモリからの読み出し処理を示すフローチャートである。
【符号の説明】
【００３６】
１  アンテナ
２  受信部
３  映像出力部
４  音声出力部
５  表示部
６  スピーカ
７  スロット部
８  カード制御部
９  中央制御部
１０  操作部
１１  選択部
１２  画像作成部
１３  メモリ
１４  受光部
１５  遠隔操作部
１６  カード型記録媒体
１７  カード装着部
【図１】
2005196465.tif 000003
【図２】
2005196465.tif 000004
【図３】
2005196465.tif 000005
【図４】
2005196465.tif 000006
【図５】
2005196465.tif 000007
【図６】
2005196465.tif 000008
【図７】
2005196465.tif 000009